(57)【要約】      （修正有）【課題】瓶蓋の操作が単一の操作と同じで二種のドリンクを混合するドリンクシェイカーを提供する。【解決手段】ドリンクシェイカーは、瓶口を備えた容器１０、瓶蓋２０、瓶口内に設置する分割筒３０、分割筒内に設置するカッター５０、該カッターを動かす作動部品６０から構成され、瓶蓋は瓶口を締める内ネジ紋孔、瓶口を封鎖する蓋板，並びに蓋板の底面に設置する柱体を備え、柱体は内ネジ紋孔とネジ紋回転する方向が反対で且つ同心に設置する螺合部を備え、分割筒は上下に開口を備えた納置室を備え、仕切膜で納置室の底端を封鎖し、納置室に第二種のドリンクもしくは原料を貯蔵する空間を形成し、カッターの底端には刃部を設け、刃部は仕切膜の上方に位置し、瓶蓋を回転した時，作動部品は縦方向に移動してカッターを下に押圧し、カッターの刃部が仕切膜４０を切り、第二種のドリンクもしくは原料を容器内に混入し、第一種のドリンクもしくは原料と混合する。【選択図】図３
0003150322.tif 000002
【実用新案登録請求の範囲】
【請求項１】
ドリンクシェイカーにおいて、少なくとも、第一種のドリンクもしくは原料を入れるドリンク装填空間を備え、該容器は別に内外が連通した瓶口を備え、瓶口の外周には外ネジ紋を設置する容器と、
容器の外ネジ紋に設置する内ネジ紋孔，及び瓶口を封鎖する蓋板、並びに蓋板の底面に設置する柱体を備え、該柱体は内ネジ紋孔とネジ紋回転する方向が反対で且つ同心で設置する螺合部を備える瓶蓋と、
瓶口内に設置し、上下に開口を備えた納置室を備え、並びに仕切膜で納置室の底端を封鎖し、納置室に第二種のドリンクもしくは原料を貯蔵する空間を形成する分割筒と、
納置室内に定位し、その底端に傾斜して刃部を備え、該刃部は仕切膜の上方に位置するカッターと、
カッターを動かし、瓶蓋の蓋板とカッター最上端の間に位置し、瓶蓋の螺合部と組み立てる固定部を備え、瓶蓋を回転した時、瓶蓋は自転できず、この状態に於いて納置室内で縦方向にカッターを下向きに押し、カッターの底端の刃部で仕切膜を切る作動部品を含むことを特徴とするドリンクシェイカー。
【請求項２】
前記カッターは、Ｃ形で且つ径方向に弾力を備える筒体で、カッターを径方向の弾力で納置室内に定位し、カッターは底端にＣ環状刃部を傾斜設置することを特徴とする請求項１記載のドリンクシェイカー。
【請求項３】
前記仕切膜は、最上面が納置室に連接する位置に環形槽を形成し、該環形槽によって仕切膜全体の最も薄く割れやすい箇所を形成し、カッターの刃部は仕切膜の環形槽上方に位置することを特徴とする請求項２記載のドリンクシェイカー。
【請求項４】
前記分割筒は、納置室内に複数本の縦レールを突設し、カッターには該縦レールと合わさる縱槽を設置し、作動部品は納置室内に設置し、且つ該作動部品は縦レールと合わさる案内槽を備えることを特徴とする請求項１もしくは２記載のドリンクシェイカー。
【請求項５】
前記カッターは、最上端にＣ形補強塊を環設し、補強塊には予め弾力を備えて納置室内に定位し、且つ補強塊に分割筒の縦レールと合わさる縱槽を設置することを特徴とする請求項４記載のドリンクシェイカー。
【請求項６】
前記分割筒は、瓶口最上端に軸方向で停止する停止肩を備え、該分割筒は別に停止肩の上方で小径の接続口を設置することを特徴とする請求項１もしくは２記載のドリンクシェイカー。
【請求項７】
前記瓶蓋は、蓋板の底面に下向きに環状ワッシャを設置し、該環状ワッシャは瓶蓋の内ネジ紋孔と同心に設置し、並びに環状ワッシャの内周底縁には内逆掛合凸を設置し、該分割筒は外周最上縁に外逆掛合凸を設置し、該外逆掛合凸は、瓶蓋の内逆掛合凸と合わさり、瓶蓋を回転して瓶口を開いた後、該瓶蓋は外逆掛合凸、内逆掛合凸の連接によって分割筒を瓶口から抜き出すことを特徴とする請求項１もしくは２記載のドリンクシェイカー。
【請求項８】
前記容器は、外ネジ紋の下方で環形凸縁を成形し、瓶蓋の底端は切込線で密封リングに連接し、該密封リングが環形凸縁、外ネジ紋底端の間で位置を制限することを特徴とする請求項１もしくは２記載のドリンクシェイカー。
【考案の詳細な説明】
【技術分野】
【０００１】
本考案は、ドリンクシェイカーに関するもので、二種のドリンクを混合するドリンクシェイカーの瓶蓋の開閉の操作が単一ドリンクの方法と同じで、簡単に二種のドリンクを混合し、瓶蓋を取り外すことができるドリンクシェイカーに関するものである。
【背景技術】
【０００２】
台湾における最新のドリンクシェイカーとして混合式ドリンク技術がある（例として下記特許文献１：発明の名称（ドリンク容器の混合構造）参照）。しかしながら、該先行特許の技術内容の操作モジュールは、完全に現在のドリンク容器と異なる。ユーザーは先ず時計回りに瓶蓋を回転して下へ移動し、可動桿を動かして下へ圧し、圧力をかけて開いた納置室底部の弁を開き、納置室内の第二種ドリンクを下へ落とし、容器内の第一種ドリンクと混合し、別の味の異なるドリンクを作る。続いて瓶蓋を時計と逆周りに回転して上に移動し、瓶口を開いて混合したドリンクを取り出す。
【０００３】
つまり、該瓶蓋は先ず下へ回転し、次に上向きに回転する操作方法であるため、現在の方法に慣れているユーザーにとって、非常に不便に感じ、時間がかかり、更には力も要するという欠点があるため、該先行特許には改善の余地がある。
【先行技術文献】
【特許文献】
【０００４】
【特許文献１】台湾  特許第Ｍ３３９４９７号公報
【特許文献２】特開平０９−１０３３７６号公報
【考案の概要】
【考案が解決しようとする課題】
【０００５】
本考案は、従来のドリンクシェイカーが、瓶を開けるのに不便で力がかかり、時間も要するという問題点に鑑みてなされたもので、低コストで且つ瓶蓋の開閉の操作が単一ドリンクの方法と同じで、簡単に二種のドリンクを混合しすることができるドリンクシェイカーを提供することにある。
【課題を解決するための手段】
【０００６】
本考案は、第一に、瓶蓋の回転を利用してカッターを連動し、仕切膜を破り、二種のドリンク（原料）を混合し、第二に、現在の単一ドリンクの開け方を採用し、以前の通り、時計と逆周りに瓶蓋を回転するだけで、二種のドリンク（原料）を混合し、瓶蓋を取り外すものである。
すなわち、本考案は、瓶口を備えた容器、瓶蓋、瓶口内に設置する分割筒、分割筒内に設置するカッター、カッターを動かす作動部品から構成される。そのうち、瓶蓋は瓶口を締める内ネジ紋孔、瓶口を封鎖する蓋板，並びに蓋板の底面に設置する柱体を備える。該柱体は内ネジ紋孔とネジ紋回転する方向が反対で且つ同心に設置する螺合部を備える。分割筒は上下に開口を備えた納置室を備え、仕切膜で納置室の底端を封鎖し、納置室に第二種のドリンクもしくは原料を貯蔵する空間を形成する。このカッターの底端には刃部を設置し、該刃部は仕切膜の上方に位置し、また作動部品はカッター最上端と瓶蓋の蓋板の間に設置する。該作動部品は瓶蓋の螺合部と組み合わさる固定部を備えることにより、瓶蓋を回転した時，作動部品は縦方向に移動してカッターを下に押圧し、カッターの刃部が仕切膜を切り、第二種ドリンクもしくは原料を容器内に混入し、容器に既に入っている第一種のドリンクもしくは原料と混合することを最も主要な特徴とする。
【０００７】
請求項１の考案は、ドリンクシェイカーにおいて、少なくとも、第一種のドリンクもしくは原料を入れるドリンク装填空間を備え、該容器は別に内外が連通した瓶口を備え、瓶口の外周には外ネジ紋を設置する容器と、容器の外ネジ紋に設置する内ネジ紋孔，及び瓶口を封鎖する蓋板、並びに蓋板の底面に設置する柱体を備え、該柱体は内ネジ紋孔とネジ紋回転する方向が反対で且つ同心で設置する螺合部を備える瓶蓋と、瓶口内に設置し、上下に開口を備えた納置室を備え、並びに仕切膜で納置室の底端を封鎖し、納置室に第二種のリンクもしくは原料を貯蔵する空間を形成する分割筒と、納置室内に定位し、その底端に傾斜して刃部を備え、該刃部は仕切膜の上方に位置するカッターと、カッターを動かし、瓶蓋の蓋板とカッター最上端の間に位置し、瓶蓋の螺合部と組み立てる固定部を備え、瓶蓋を回転した時、瓶蓋は自転できず、この状態に於いて納置室内で縦方向にカッターを下向きに押し、カッターの底端の刃部で仕切膜を切る作動部品を含むことを特徴とする。
【０００８】
請求項２の考案は、請求項１記載のドリンクシェイカーにおいて、前記カッターは、Ｃ形で且つ径方向に弾力を備える筒体で、カッターを径方向の弾力で納置室内に定位し、カッターは底端にＣ環状刃部を傾斜設置することを特徴とする。  請求項３の考案は、請求項２記載のドリンクシェイカーにおいて、前記仕切膜は、最上面が納置室に連接する位置に環形槽を形成し、該環形槽によって仕切膜全体の最も薄く割れやすい箇所を形成し、カッターの刃部は仕切膜の環形槽上方に位置することを特徴とする。
【０００９】
請求項４の考案は、請求項１もしくは２記載のドリンクシェイカーにおいて、前記分割筒は、納置室内に複数本の縦レールを突設し、カッターには該縦レールと合わさる縱槽を設置し、作動部品は納置室内に設置し、且つ該作動部品は縦レールと合わさる案内槽を備えることを特徴とする。
請求項５の考案は、請求項４記載のドリンクシェイカーにおいて、前記カッターは、最上端にＣ形補強塊を環設し、補強塊には予め弾力を備えて納置室内に定位し、且つ補強塊に分割筒の縦レールと合わさる縱槽を設置することを特徴とする。
請求項６の考案は、請求項１もしくは２記載のドリンクシェイカーにおいて、前記分割筒は、瓶口最上端に軸方向で停止する停止肩を備え、該分割筒は別に停止肩の上方で小径の接続口を設置することを特徴とする。
請求項１もしくは２記載のドリンクシェイカー。
【００１０】
請求項７の考案は、請求項１もしくは２記載のドリンクシェイカーにおいて、前記瓶蓋は、蓋板の底面に下向きに環状ワッシャを設置し、該環状ワッシャは瓶蓋の内ネジ紋孔と同心に設置し、並びに環状ワッシャの内周底縁には内逆掛合凸を設置し、該分割筒は外周最上縁に外逆掛合凸を設置し、該外逆掛合凸は、瓶蓋の内逆掛合凸と合わさり、瓶蓋を回転して瓶口を開いた後、該瓶蓋は外逆掛合凸、内逆掛合凸の連接によって分割筒を瓶口から抜き出すことを特徴とする。
請求項８の考案は、請求項１もしくは２記載のドリンクシェイカーにおいて、前記容器は、外ネジ紋の下方で環形凸縁を成形し、瓶蓋の底端は切込線で密封リングに連接し、該密封リングが環形凸縁、外ネジ紋底端の間で位置を制限することを特徴とする。
【考案の効果】
【００１１】
本考案のドリンクシェイカーは前記のような構成であるので、瓶蓋の開閉の操作が単一ドリンクの方法と同じで、簡単に二種のドリンクを混合しすることができ、且つ、簡単な構成で低コストであるという利点がある。
【図面の簡単な説明】
【００１２】
【図１】本考案の分解指示図である。
【図２】本考案の組立指示図である。
【図３】本考案の出荷状態時の組立断面指示図である。
【図４】本考案の瓶蓋を開けた時の断面動作指示図である。
【図５】本考案の瓶蓋を開けた時の断面動作指示図である。
【図６】本考案の完全瓶蓋を開けた時の断面分解指示図である。
【図７】本考案の瓶蓋だけで容器を封鎖した断面指示図である。
【図８】本考案の第二実施例指示図である。
【考案を実施するための形態】
【００１３】
本考案の「ドリンクシェイカー」の主なコンテンツとして、操作の不便性を改善し、ユーザーが自在にドリンクを混合する。
すなわち、本考案のドリンクシェイカーは、瓶口を備えた容器と、瓶口で止める内ネジ紋孔，及び瓶口を封鎖する蓋板，並びに蓋板の底面に設置する柱体を備え、該柱体は具有と内ネジ紋孔とネジ紋回転するのが反対方向で且つ同心に設置した螺合部を備える瓶蓋と、  瓶口内に設置して、それは上下に開口を備えた納置室を備え、並びに仕切膜で納置室の底端を封鎖し、納置室を第二種ドリンクもしくは原料を貯蔵する空間にする分割筒と、納置室内に定位し、底端に刃部を設置し、該刃部は仕切膜の上方に設置するカッターと、カッターを動かすもので、カッター最上端と瓶蓋の蓋板間に設置し、瓶蓋の螺合部と組み合わさる固定部を備えることにより、瓶蓋を回転した時、縦方向に移動してカッターを下へ押圧し、カッターの刃部で仕切膜を切り、第二種のドリンクもしくは原料を容器内に混入し、容器に既に入っている第一種のドリンクもしくは原料と混合する作動部品を含む構成である。
【００１４】
更に本考案の構造、特徴及びその他の目的をより理解するため、良好な実施例を挙げて図式と共に説明する。
【実施例】
【００１５】
図１から図６に示すとおり、本考案は以下を含む。
容器１０は、第一種のドリンクもしくは原料を納置するドリンク装填空間１１を備え、該容器１０最上部は外と連通し、且つ頚部が縮小した瓶口１２を成形し、瓶口１２外周には外ネジ紋１３を設置し、且つ外ネジ紋１３下方には環形凸縁１４を成形する。
【００１６】
瓶蓋２０は、瓶口１２の外ネジ紋１３に螺合する内ネジ紋孔２１及び瓶口１２を密封する蓋板２２を備え、他に瓶蓋２０底端は切込線で連接した密封リング２３がある。該密封リング２３は、環形凸縁１４、外ネジ紋１３底端の間で位置を限定して瓶蓋２０を容器１０に密封した後，該密封リング２３が瓶蓋２０底端に連接したかどうかを目視しやすくして、瓶蓋２０が開いたかどうかがわかる。該瓶蓋２０は蓋板２２底面に下向きに伸びた柱体２４が設置される。該柱体２４の外周は外ネジ紋状で螺合部２４１が形成され、この螺合部２４１と内ネジ紋孔２１のネジ紋を回転方向が相反し且つ同心に設置する。この他、瓶蓋２０は蓋板２２底面に下向きに環状ワッシャ２５が伸びて設置され、該環状ワッシャ２５は内ネジ紋孔２１と同心にされ、環状ワッシャ２５の内周底縁には内逆掛合凸２５１が設置される。
【００１７】
分割筒３０は、容器１０の瓶口１２内に挿入し、瓶口１２最上端で軸方向に止める停止肩３１，及び瓶口１２で密封する環部３２を備える。該分割筒３０は別に停止肩３１上方で停止肩３１より小径の接続口３３が突出し、この接続口３３の外周最上縁には外逆掛合凸３４を設置する。この外逆掛合凸３４は、瓶蓋２０の内逆掛合凸２５１と合わさり、瓶蓋２０を瓶口１２から開ける方向に回転した後、該瓶蓋２０が外逆掛合凸３４、内逆掛合凸２５１の連接関係によって分割筒３０を瓶口１２から抜き出す。該分割筒３０は上下に開口を備えた納置室３５を備え、納置室３５底端の位置で口径が小さくなる口唇３６，及び納置室３５の対称位置で突設した二本の縦レール３７を形成する。
【００１８】
仕切膜４０は、高週波で加工して納置室３５底端の唇口３６を封鎖し、納置室３５内に第二種のドリンクもしくは原料を貯蔵する空間を形成する。並びに仕切膜４０最上面の唇口３６を連接する位置に環槽４１を成形し、該環形槽４１は仕切膜４０全体の最も弱く破れやすい箇所として形成される。
【００１９】
カッター５０は、Ｃ形状で、且つ径方向に弾力を備えた筒体である。該カッター５０最上端にはＣ形補強塊５１が対応して環設し、補強塊５１を該予め設置した径方向弾力で納置室３５内に定位する。更に補強塊５１と蓋板２２の間には固定距離が形成され、且つ補強塊５１に分割筒３０の縦レール３７(図８参照)と合わさる縱槽５２が設置され、カッター５０は底端でＣ環状刃部５３を設置し、該刃部５３は仕切膜４０の環形槽４１上方に位置する。
【００２０】
そして、納置室３５内に設置する作動部品６０は、瓶蓋２０の蓋板２２とカッター５０最上端の間に位置し、該作動部品６０は回動して瓶蓋２０の螺合部２４１と螺合し、固定部６１を組み立てるとともに、縦レール３７と嵌合する案内槽６２を備える。
【００２１】
図３、図４、図５、及び、図６に示すとおり、第一、二種のドリンクもしくは原料を混合する時、ユーザーはただ時計と逆周りに瓶蓋２０を回転し、その内ネジ紋孔２１は瓶口１２外ネジ紋１３に沿って上へ移動し、瓶蓋２０の螺合部２４１もまた同時に中心を回って回転する。
螺合部２４１と内ネジ紋孔２１のネジ紋の回転方向は相反するため、該螺合部２４１は作動部品６０の固定部６１に作用し、並びに案内槽６２、縦レール３７の制限の下、該作動部品６０を同時に下へ移動させ、図４及び図５に示すとおり、作動部品６０底端をカッター５０に対して下向きの圧力を施し、カッター５０の縱槽５２が縦レール３７に沿って移動し、その刃部５３が仕切膜４０の環形槽４１を容易に挿し、効率的に仕切膜４０に於いてＣ環状に割口を切り出して納置室３５を開き、納置室３５内の第二種のドリンクもしくは原料が該割口から容器１０内の第一種ドリンクもしくは原料に落下して混合され、異なる味のドリンクとなり、且つ仕切膜４０は容器１０内に落ちない。
図６に示すとおり、瓶蓋２０が完全に瓶口１２から外れた時、即座に分割筒３０を取り出して強制的に分割筒３０と瓶蓋２０を分離し、図７に示すように瓶蓋２０で直接瓶口１２を密封して、該混合ドリンクもしくは原料の味を保って酸化しないよう保存する。
【００２２】
上述の説明からわかるとおり、本考案は少なくとも以下の長所を備える。
一、低コストである。本考案は瓶蓋２０を回転することにより、カッター５０を連動して仕切膜４０を破り、二種のドリンク原料を混合するもので、この分割筒３０、仕切膜４０及びカッター５０の全体構造は伝統的でありながら、コストを下げて製造する方法に符合している。
二、操作が簡単である。ユーザーはただ現在の単一のドリンクの開け方で実施すればよく、従来の時計と逆周りに瓶蓋２０を回転するだけで二種のドリンク原料を混合することができ、瓶蓋２０を取り出す。依って現在の操作の不便さを大きく改善し、ユーザーの思い通りに混合でき、便利性が高まる。
【００２３】
図８に示すのは、本考案の縦レール３７、縱槽５２、案内槽６２の配置と数量もしくは形状を任意に変化したもので、螺合部２４１が固定部６１に作用した時、作動部品６０を制限して瓶蓋２０が自転できず、且つ納置室３５の縦方向に沿って滑動するもので、これらも本考案に属する。
【００２４】
上述のとおり、本考案の技術特徴が現在の構造において、未見であり、且つ進歩性を備えたものであるが、以上は本考案の一実施例に過ぎず、本考案の実施範囲を制限するものではないことは勿論である。
【符号の説明】
【００２５】
１０        容器
１１        ドリンク装填空間
１２        瓶口
１３        外ネジ紋
１４        環形凸縁
２０        瓶蓋
２１        内ネジ紋孔
２２        蓋板
２３        密封リング
２４        柱体
２４１        螺合部
２５        環状ワッシャ
２５１        内逆掛合凸
３０        分割筒
３１        停止肩
３２        環部
３３        接続口
３４        外逆掛合凸
３５        納置室
３６        唇口
３７        縦レール
４０        仕切膜
４１        環形槽
５０        カッター
５１        補強塊
５２        縱槽
５３        刃部
６０        作動部品
６１        固定部
６２        案内(縱)槽
【図１】
0003150322.tif 000003
【図２】
0003150322.tif 000004
【図３】
0003150322.tif 000005
【図４】
0003150322.tif 000006
【図５】
0003150322.tif 000007
【図６】
0003150322.tif 000008
【図７】
0003150322.tif 000009
【図８】
0003150322.tif 000010